(57)【要約】【課題】ユーザにとって使い勝手の良い携帯端末装置を提供する。【解決手段】携帯電話機１は、タッチ検出部１４による少なくとも一部の操作の受付を抑制するロック状態を解除する解除制御部３１を備える。解除制御部３１は、ロック状態を解除するためのロック解除画面を表示面３に表示する。さらに、解除制御部３１は、第１解除操作がタッチ検出部１４により受け付けられると、ロック状態を解除して、ホーム画面を、第１解除操作に対応する第１表示方向で表示面３に表示し、第１解除操作と異なる第２解除操作がタッチ検出部１４により受け付けられると、ロック状態を解除して、ホーム画面を、第２解除操作に対応する、第１表示方向と異なる第２表示方向で表示面３に表示する。【選択図】図６
2014099764.tif 000002
【特許請求の範囲】
【請求項１】
表示面を有する表示部と、
ユーザによる操作を受け付ける操作受付部と、
前記操作受付部による少なくとも一部の操作の受付を抑制するロック状態を解除する解除制御部と、
を備え、
前記解除制御部は、前記ロック状態を解除するための解除画面を前記表示面に表示し、
前記操作受付部は、前記解除画面において、前記ロック状態を解除するための第１解除操作と、当該第１解除操作とは異なる、前記ロック状態を解除するための第２解除操作とを受け付け、
前記解除制御部は、
前記第１解除操作が前記操作受付部により受け付けられると、前記ロック状態を解除して、所定の画面を、前記第１解除操作に対応する第１表示方向で前記表示面に表示し、
前記第２解除操作が前記操作受付部により受け付けられると、前記ロック状態を解除して、前記所定の画面を、前記第２解除操作に対応する、前記第１表示方向と異なる第２表示方向で前記表示面に表示する、
ことを特徴とする携帯端末装置。
【請求項２】
請求項１に記載の携帯端末装置において、
前記操作受付部は、前記表示面に対するタッチ操作を受け付け、
前記解除画面は、操作の対象となる第１解除オブジェクトと第２解除オブジェクトを含み、
前記第１解除操作は、前記第１解除オブジェクトに対して行われるタッチ位置の移動を伴うタッチ操作であり、前記第２解除操作は、前記第２解除オブジェクトに対して行われるタッチ位置の移動を伴うタッチ操作である、
ことを特徴とする携帯端末装置。
【請求項３】
請求項２に記載の携帯端末装置において、
前記第１解除オブジェクトは、前記第１表示方向を示す表示を含み、前記第２解除オブジェクトは、前記第２表示方向を示す表示を含む、
ことを特徴とする携帯端末装置。
【請求項４】
請求項１に記載の携帯端末装置において、
前記操作受付部は、前記表示面に対するタッチ操作を受け付け、
前記解除画面は、操作の対象となる解除オブジェクトとを含み、
前記第１解除操作は、前記解除オブジェクトに対して行われるタッチ位置の移動を伴うタッチ操作であり、前記第２解除操作は、前記解除オブジェクトに対して行われる、前記第１解除操作とは異なる方向へのタッチ位置の移動を伴うタッチ操作である、
ことを特徴とする携帯端末装置。
【請求項５】
請求項１ないし４の何れか一項に記載の携帯端末装置において、
前記第１表示方向は、前記携帯端末装置の上側から下側へ向かう方向であり、前記第２表示方向は、前記携帯端末装置の下側から上側へ向かう方向である、
ことを特徴とする携帯端末装置。
【請求項６】
請求項５に記載の携帯端末装置において、
前記携帯端末装置の本体の上側および下側にそれぞれ配され、音声を出力する第１スピーカおよび第２スピーカと、
前記携帯端末装置の本体の上側および下側にそれぞれ配され、音声を入力する第１マイ
クロフォンおよび第２マイクロフォンと、
前記所定の画面が前記第１表示方向で前記表示面に表示される場合には、前記第１スピーカおよび前記第２マイクロフォンをそれぞれ、作動されるスピーカおよびマイクロフォンに設定し、前記所定の画面が前記第２表示方向で前記表示面に表示される場合には、前記第２スピーカおよび前記第１マイクロフォンをそれぞれ、作動されるスピーカおよびマイクロフォンに設定する設定切替部と、をさらに備える、
ことを特徴とする携帯端末装置。
【請求項７】
請求項５に記載の携帯端末装置において、
出力される音に対応する音波と、出力される音に対応する振動に基づき前記携帯端末装置の本体が振動して生じる振動波とを放出してユーザに音を伝達させるスピーカを、さらに備える、
ことを特徴とする携帯端末装置。
【請求項８】
請求項７に記載の携帯端末装置において、
前記携帯端末装置の本体の上側および下側にそれぞれ配され、音声を入力する第１マイクロフォンおよび第２マイクロフォンと、
前記所定の画面が前記第１表示方向で前記表示面に表示される場合には、前記第２マイクロフォンを、作動されるマイクロフォンに設定し、前記所定の画面が前記第２表示方向で前記表示面に表示される場合には、前記第１マイクロフォンを、作動されるマイクロフォンに設定する設定切替部と、をさらに備える、
ことを特徴とする携帯端末装置。
【請求項９】
表示面を有する表示部と、ユーザによる操作を受け付ける操作受付部と、を備える携帯端末装置のコンピュータに、
前記操作受付部による少なくとも一部の操作の受付を抑制するロック状態を解除するための解除画面を前記表示面に表示する機能と、
前記解除画面において、前記ロック状態を解除するための第１解除操作が前記操作受付部により受け付けられると、前記ロック状態を解除して、所定の画面を、前記第１解除操作に対応する第１表示方向で前記表示面に表示する機能と、
前記解除画面において、前記第１解除操作とは異なる、前記ロック状態を解除するための第２解除操作が前記操作受付部により受け付けられると、前記ロック状態を解除して、前記所定の画面を、前記第２解除操作に対応する、前記第１表示方向と異なる第２表示方向で前記表示面に表示する機能と、
を付与するプログラム。
【請求項１０】
表示面を有する表示部と、ユーザによる操作を受け付ける操作受付部と、を備える携帯端末装置の表示制御方法であって、
前記操作受付部による少なくとも一部の操作の受付を抑制するロック状態を解除するための解除画面を前記表示面に表示するステップと、
前記解除画面において、前記ロック状態を解除するための第１解除操作が前記操作受付部により受け付けられると、前記ロック状態を解除して、所定の画面を、前記第１解除操作に対応する第１表示方向で前記表示面に表示するステップと、
前記解除画面において、前記第１解除操作とは異なる、前記ロック状態を解除するための第２解除操作が前記操作受付部により受け付けられると、前記ロック状態を解除して、前記所定の画面を、前記第２解除操作に対応する、前記第１表示方向と異なる第２表示方向で前記表示面に表示するステップと、
を含む表示制御方法。
【発明の詳細な説明】
【技術分野】
【０００１】
本発明は、携帯電話機、ＰＤＡ（Personal Digital Assistant）、タブレットＰＣ（Tablet PC）、電子書籍端末等の携帯端末装置に関する。また、本発明は、かかる携帯端末装置に用いて好適なプログラムおよび表示制御方法に関する。
【背景技術】
【０００２】
従来、表示面上にタッチパネルを配し、表示面に対するユーザのタッチ操作に基づいて、各種のアプリケーションプログラム（以下、単に「アプリケーション」と称する。）を実行する携帯電話機が知られている。かかる携帯電話機では、略長方形状の筺体の正面に筺体より僅かに小さな略長方形状の表示面が形成された外観形状のシンプルな構成が採られ得る（たとえば、特許文献１参照）。
【先行技術文献】
【特許文献】
【０００３】
【特許文献１】特開２０１２−２０３８９５号公報
【発明の概要】
【発明が解決しようとする課題】
【０００４】
通常、タッチパネルを備える携帯電話機では、ユーザによる操作が行われなくなると、ロック機能が作動し、ホーム画面等、それまで操作が行われていた画面が閉じられ、表示面に対する操作の受付が抑制されるロック状態となる。ユーザは、再び携帯電話機を操作する際、ロック解除画面において所定の解除操作を行う。ロック状態が解除されると、たとえば、ホーム画面が表示される。
【０００５】
上記のように、携帯電話機がシンプルな外観形状を有する場合、ユーザには、一見して携帯電話機の上下方向が分かりづらい。このため、かかる携帯電話機は、ユーザによって上下逆さまに保持されやすい。
【０００６】
ユーザによって携帯電話機が縦向きに保持されている場合、ロック状態の解除後に表示される画面の表示方向は、携帯電話機の上側から下側に向かう方向となる。このため、ユーザは携帯電話機を上下逆さまに保持していた場合、その都度、携帯電話機を正しい向きに保持し直さなければならず、ユーザにとって面倒である。
【０００７】
そこで、本発明は、ユーザにとって使い勝手の良い携帯端末装置、プログラムおよび表示制御方法を提供することを目的とする。
【課題を解決するための手段】
【０００８】
本発明の第１の態様に係る携帯端末装置は、表示面を有する表示部と、ユーザによる操作を受け付ける操作受付部と、前記操作受付部による少なくとも一部の操作の受付を抑制するロック状態を解除する解除制御部と、を備える。ここで、前記解除制御部は、前記ロック状態を解除するための解除画面を前記表示面に表示する。前記操作受付部は、前記解除画面において、前記ロック状態を解除するための第１解除操作と、当該第１解除操作とは異なる、前記ロック状態を解除するための第２解除操作とを受け付ける。前記解除制御部は、さらに、前記第１解除操作が前記操作受付部により受け付けられると、前記ロック状態を解除して、所定の画面を、前記第１解除操作に対応する第１表示方向で前記表示面に表示し、前記第２解除操作が前記操作受付部により受け付けられると、前記ロック状態を解除して、前記所定の画面を、前記第２解除操作に対応する、前記第１表示方向と異な
る第２表示方向で前記表示面に表示する。
【０００９】
本態様に係る携帯端末装置において、前記操作受付部は、前記表示面に対するタッチ操作を受け付けるような構成とされ、前記解除画面は、操作の対象となる第１解除オブジェクトと第２解除オブジェクトを含むような構成とされ得る。この場合、前記第１解除操作は、前記第１解除オブジェクトに対して行われるタッチ位置の移動を伴うタッチ操作とされ、前記第２解除操作は、前記第２解除オブジェクトに対して行われるタッチ位置の移動を伴うタッチ操作とされる。
【００１０】
このような構成とした場合、さらに、前記第１解除オブジェクトは、前記第１表示方向と同じ方向を示す表示を含み、前記第２解除オブジェクトは、前記第２表示方向と同じ方向を示す表示を含み得る。
【００１１】
本態様に係る携帯端末装置において、前記操作受付部は、前記表示面に対するタッチ操作を受け付けるような構成とされ、前記解除画面は、操作の対象となる解除オブジェクトとを含むような構成とされ得る。この場合、前記第１解除操作は、前記解除オブジェクトに対して行われるタッチ位置の移動を伴うタッチ操作とされ、前記第２解除操作は、前記解除オブジェクトに対して行われる、前記第１解除操作とは異なる方向へのタッチ位置の移動を伴うタッチ操作とされる。
【００１２】
本態様に係る携帯端末装置において、前記第１表示方向は、前記携帯端末装置の上側から下側へ向かう方向とされ、前記第２表示方向は、前記携帯端末装置の下側から上側へ向かう方向とされ得る。
【００１３】
このような構成とした場合、さらに、携帯端末装置は、前記携帯端末装置の本体の上側および下側にそれぞれ配され、音声を出力する第１スピーカおよび第２スピーカと、前記携帯端末装置の本体の上側および下側にそれぞれ配され、音声を入力する第１マイクロフォンおよび第２マイクロフォンと、前記所定の画面が前記第１表示方向で前記表示面に表示される場合には、前記第１スピーカおよび前記第２マイクロフォンをそれぞれ、作動されるスピーカおよびマイクロフォンに設定し、前記所定の画面が前記第２表示方向で前記表示面に表示される場合には、前記第２スピーカおよび前記第１マイクロフォンをそれぞれ、作動されるスピーカおよびマイクロフォンに設定する設定切替部と、をさらに備えるような構成とされ得る。
【００１４】
第１表示方向が、携帯端末装置の上側から下側へ向かう方向とされ、第２表示方向が、携帯端末装置の下側から上側へ向かう方向とされる場合、携帯端末装置は、出力される音に対応する音波と、出力される音に対応する振動に基づき前記携帯端末装置の本体が振動して生じる振動波とを放出してユーザに音を伝達させるスピーカを、さらに備えるような構成とされ得る。
【００１５】
このような構成とした場合、携帯端末装置は、前記携帯端末装置の本体の上側および下側にそれぞれ配され、音声を入力する第１マイクロフォンおよび第２マイクロフォンと、前記所定の画面が前記第１表示方向で前記表示面に表示される場合には、前記第２マイクロフォンを、作動されるマイクロフォンに設定し、前記所定の画面が前記第２表示方向で前記表示面に表示される場合には、前記第１マイクロフォンを、作動されるマイクロフォンに設定する設定切替部と、をさらに備えるような構成とされ得る。
【００１６】
本発明の第２の態様に係るプログラムは、表示面を有する表示部と、ユーザによる操作を受け付ける操作受付部と、を備える携帯端末装置のコンピュータに、前記操作受付部による少なくとも一部の操作の受付を抑制するロック状態を解除するための解除画面を前記
表示面に表示する機能と、前記解除画面において、前記ロック状態を解除するための第１解除操作が前記操作受付部により受け付けられると、前記ロック状態を解除して、所定の画面を、前記第１解除操作に対応する第１表示方向で前記表示面に表示する機能と、前記解除画面において、前記第１解除操作とは異なる、前記ロック状態を解除するための第２解除操作が前記操作受付部により受け付けられると、前記ロック状態を解除して、前記所定の画面を、前記第２解除操作に対応する、前記第１表示方向と異なる第２表示方向で前記表示面に表示する機能と、を付与する。
【００１７】
本発明の第３の態様は、表示面を有する表示部と、ユーザによる操作を受け付ける操作受付部と、を備える携帯端末装置の表示制御方法に関する。本態様に係る表示制御方法は、前記操作受付部による少なくとも一部の操作の受付を抑制するロック状態を解除するための解除画面を前記表示面に表示するステップと、前記解除画面において、前記ロック状態を解除するための第１解除操作が前記操作受付部により受け付けられると、前記ロック状態を解除して、所定の画面を、前記第１解除操作に対応する第１表示方向で前記表示面に表示するステップと、前記解除画面において、前記第１解除操作とは異なる、前記ロック状態を解除するための第２解除操作が前記操作受付部により受け付けられると、前記ロック状態を解除して、前記所定の画面を、前記第２解除操作に対応する、前記第１表示方向と異なる第２表示方向で前記表示面に表示するステップと、を含む。
【発明の効果】
【００１８】
本発明によれば、ユーザにとって使い勝手の良い携帯端末装置、プログラムおよび表示制御方法を提供することができる。
【００１９】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００２０】
【図１】実施形態に係る、携帯電話機の構成を示す図である。
【図２】実施形態に係る、携帯電話機の全体構成を示すブロック図である。
【図３】実施形態に係る、ロック解除画面について説明するための図である。
【図４】実施形態に係る、ホーム画面について説明するための図である。
【図５】実施形態に係る、ロック解除処理の処理手順を示すフローチャートである。
【図６】実施形態に係る、ロック解除操作を行ったときの画面遷移を示す図である。
【図７】変更例１に係る、ロック解除画面について説明するための図である。
【図８】変更例１に係る、ロック解除処理の処理手順を示すフローチャートである。
【図９】変更例１に係る、ロック解除操作を行ったときの画面遷移を示す図である。
【図１０】変更例２に係る、携帯電話機の構成を示す図である。
【図１１】変更例２に係る、設定切替処理の処理手順を示すフローチャートである。
【図１２】変更例３に係る、携帯電話機の構成を示す図である。
【図１３】変更例３に係る、設定切替処理の処理手順を示すフローチャートである。
【図１４】その他の変更例に係る、ロック解除画面について説明するための図である。
【図１５】その他の変更例に係る、ロック解除画面について説明するための図である。
【発明を実施するための形態】
【００２１】
以下、本発明の実施形態について、図面を参照して説明する。
【００２２】
図１は、携帯電話機１の構成を示す図である。図１（ａ）および（ｂ）は、それぞれ、携帯電話機１の正面図および背面図である。
【００２３】
以下、説明の便宜上、図１に示すように、キャビネット２の長手方向を上下方向と定義し、キャビネット２の短手方向を左右方向と定義する。
【００２４】
携帯電話機１は、キャビネット２と、表示面３と、マイクロフォン４と、通話スピーカ５と、外部スピーカ６とを備えている。
【００２５】
キャビネット２は、正面から見て、ほぼ長方形状を有する。キャビネット２の正面に、後述する表示部１３の表示面３が配されている。表示面３には、各種の画像（画面）が表示される。
【００２６】
キャビネット２の内部には、下端部にマイクロフォン４が配されており、上端部に通話スピーカ５が配されている。マイクロフォン４には、キャビネット２の正面に形成されたマイク孔４ａを通じて音声が入力される。マイクロフォン４は、入力した音に応じた電気信号を生成する。通話スピーカ５からは、音声が出力される。出力された音声は、キャビネット２の正面に形成された出力孔５ａを通じて外部に放出される。通話の際には、通信先の機器（携帯電話機等）から受信された受話音声が通話スピーカ５から出力され、ユーザが発した発話音声がマイクロフォン４に入力される。
【００２７】
キャビネット２の内部には、外部スピーカ６が配されている。キャビネット２の背面には、外部スピーカ６に対応する出力孔６ａが形成されている。外部スピーカ６から出力された音（音声、報知音等）は、出力孔６ａを通じて外部に放出される。
【００２８】
図２は、携帯電話機１の全体構成を示すブロック図である。携帯電話機１は、制御部１１と、記憶部１２と、表示部１３と、タッチ検出部１４と、音声入力部１５と、音声出力部１６と、音声処理部１７と、キー入力部１８と、通信部１９を備えている。
【００２９】
記憶部１２は、ＲＯＭ、ＲＡＭ、外部メモリー等から構成される。記憶部１２には、各種のプログラムが記憶されている。記憶部１２に記憶されるプログラムは、携帯電話機１の各部を制御するための制御プログラムの他、各種アプリケーション（たとえば、電話、電子メール、地図、ゲーム、スケジュール管理、等）を含む。プログラムは、メーカによって携帯電話機１の製造時に記憶部１２に記憶される他、ユーザによって通信網やメモリカード等の記憶媒体を介して記憶部１２に記憶される。
【００３０】
記憶部１２には、プログラムの実行の際、一時的に利用または生成されるデータを記憶するワーキング領域も含まれる。
【００３１】
制御部１１は、ＣＰＵ等から構成されている。制御部１１は、プログラムに従って、携帯電話機１を構成する各部（記憶部１２、表示部１３、タッチ検出部１４、音声入力部１５、音声出力部１６、音声処理部１７、キー入力部１８、通信部１９等）を制御する。
【００３２】
表示部１３は、液晶ディスプレイ等から構成される。表示部１３は、制御部１１からの制御信号と画像信号に基づき、表示面３に画像（画面）を表示する。表示部１３は、液晶ディスプレイに限らず、有機ＥＬディスプレイ等、他の表示装置から構成されてもよい。
【００３３】
タッチ検出部１４は、表示面３への指の接触を検出するタッチパネル等から構成されている。タッチパネルは、透明なシート状に形成され、表示面３上を覆いキャビネット２の正面に配される。タッチパネルは、静電容量式、超音波式、感圧式、抵抗膜式、光検知式等、各種方式のタッチパネルであってよい。
【００３４】
タッチ検出部１４は、前記表示面３へのユーザによるタッチ操作を受け付ける。即ち、
タッチ検出部１４は、指が触れた表示面３上の位置、即ちタッチ位置を検出し、検出したタッチ位置に応じた位置信号を制御部１１へ出力する。
【００３５】
ユーザは、表示面３に指を触れることにより各種のタッチ操作を行うことができる。タッチ操作の種類として、タップ操作、フリック操作、スライド操作等が挙げられる。タップ操作は、表示面３に指を接触させた後、短時間のうちに離す操作である。フリック操作は、表示面３を指で任意の方向に弾く操作である。スライド操作は、表示面３に指を接触させたまま任意の方向へ移動させる操作である。フリック操作およびスライド操作は、タッチ位置の移動を伴うタッチ操作である。
【００３６】
タッチ操作についてより具体的に説明する。たとえば、タッチ検出部１４により表示面３に対するタッチ位置が検出された後、予め定めた第１時間以内にタッチ位置が検出されなくなった場合、制御部１１によりタップ操作がなされたと判定される。タッチ検出部１４により表示面３に対するタッチ位置が検出され、予め定めた第２時間以内に予め定めた第１距離以上タッチ位置が移動した後、タッチ位置が検出されなくなった場合、制御部１１によりフリック操作がなされたと判定される。タッチ検出部１４により表示面３に対するタッチ位置が検出された後、予め定めた第２距離以上タッチ位置が移動すると、制御部１１によりスライド操作がなされたと判定される。
【００３７】
音声入力部１５は、マイクロフォン４等から構成される。音声入力部１５は、マイクロフォン４からの電気信号を音声処理部１７へ出力する。
【００３８】
音声出力部１６は、通話スピーカ５および外部スピーカ６を含む。音声出力部１６には、音声処理部１７からの電気信号が入力され、通話スピーカ５または外部スピーカ６から音（音声、報知音等）が出力される。
【００３９】
音声処理部１７は、音声入力部１５からの電気信号にＡ／Ｄ変換等を施し、変換後のデジタルの音声信号を制御部１１へ出力する。音声処理部１７は、制御部１１からのデジタルの音声信号にデコード処理およびＤ／Ａ変換等を施し、変換後の電気信号を音声出力部１６に出力する。
【００４０】
キー入力部１８は、携帯電話機１に電源を投入するための電源キーなど、携帯電話機１に配された各種ハードキー（図示せず）が押下されたときに、押下されたハードキーに応じた信号を制御部１１へ出力する。
【００４１】
通信部１９は、通話や通信を行うため、信号を変換するための回路、電波を送受信するアンテナ等を備える。通信部１９は、制御部１１から入力される通話や通信のための信号を無線信号に変換し、変換された無線信号を、アンテナを介して基地局や他の通信装置等の通信先へ送信する。さらに、通信部１９は、アンテナを介して受信した無線信号を制御部１１が利用できる形式の信号へ変換し、変換された信号を制御部１１へ出力する。
【００４２】
本実施の形態の携帯電話機１は、ロック機能を備える。ユーザによる表示面３に対するタッチ操作やハードキーに対する操作が行われないまま所定時間が経過すると、ロック機能が作動し、ホーム画面等、それまで操作が行われていた画面が閉じられ、表示面３に対するタッチ操作やハードキーに対する少なくとも一部の操作の受付が抑制されるロック状態となる。ユーザが、再び携帯電話機１を操作する際には、特定のハードキーの押下など、所定の操作を行ってロック解除画面を表示面３に表示させる。続いて、ユーザは、ロック解除画面において所定の解除操作を行う。解除操作に基づいてロック状態が解除されると、たとえば、ホーム画面が表示される。
【００４３】
図１に示すように、携帯電話機１が略方形状のキャビネット２の正面に表示面３が形成されたシンプルな外観形状を有するため、ユーザには、一見して携帯電話機１の上下方向が分かりづらい。このため、携帯電話機１は、ユーザによって上下逆さまに保持されやすい。
【００４４】
ユーザによって携帯電話機１が縦向きに保持されている場合、ロック状態の解除後に表示される画面（ホーム画面等）の表示方向は、携帯電話機１の上側から下側へ向かう方向となる。このため、ユーザは携帯電話機１を上下逆さまに保持していた場合、その都度、携帯電話機１を正しい向きに保持し直さなければならない。
【００４５】
本実施の形態では、ユーザがロック状態の解除操作を行うだけで、ロック状態解除後の画面の表示方向を、ユーザが保持した携帯電話機１の向きに対応する方向とすることができるロック解除処理が制御部１１により実行される。
【００４６】
制御部１１は、かかるロック解除処理を実行するため、解除制御部３１を含む。解除制御部３１は、制御部１１によって実行されるプログラムの機能として実現される。
【００４７】
解除制御部３１は、ロック解除画面を表示面３に表示する。
【００４８】
図３（ａ）は、ロック解除画面の一例を示す図である。図３（ａ）に示すように、ロック解除画面は、第１解除オブジェクト１０１および第２解除オブジェクト１０２を含む。第１解除オブジェクト１０１および第２解除オブジェクト１０２は、ロック状態を解除するために操作されるオブジェクトである。
【００４９】
第１解除オブジェクト１０１は、ロック解除画面の中央よりやや下の位置に表示されている。この位置が、第１解除オブジェクト１０１の初期表示位置である。第１解除オブジェクト１０１は、キャビネット２（携帯電話機１）の上側から下側に向かう方向に描かれた錠前の表示を含む。
【００５０】
第２解除オブジェクト１０２は、ロック解除画面の中央よりやや上の位置に表示されている。この位置が、第２解除オブジェクト１０２の初期表示位置である。第２解除オブジェクト１０２は、キャビネット２（携帯電話機１）の下側から上側に向かう方向に描かれた錠前の表示を含む。
【００５１】
本実施の形態では、第１解除オブジェクト１０１および第２解除オブジェクト１０２が、錠前の表示を有する円形のボタンに形成されている。しかしながら、第１解除オブジェクト１０１および第２解除オブジェクト１０２は、円形のボタンでなく、錠前そのものの形状に形成されてもよい。
【００５２】
さらに、ロック解除画面は、上端にピクト領域ＰＣを含む。ピクト領域ＰＣには、現在時刻、バッテリー残量を示す残量メータ、電波の強度を示す強度メータ等が表示される。
【００５３】
解除制御部３１は、ロック解除画面において、第１解除オブジェクト１０１に対応する第１解除領域Ｒ１と、第２解除オブジェクト１０２に対応する第２解除領域Ｒ２を設定する。
【００５４】
図３（ｂ）は、第１解除領域Ｒ１について説明するための図である。説明の便宜上、図３（ｂ）には、第１解除領域Ｒ１が斜線で示されているが、実際のロック解除画面には、第１解除領域Ｒ１が表示されない。
【００５５】
図３（ｂ）に示すように、表示面３において、第１解除オブジェクト１０１の初期表示位置の中心Ｐ１から仮想的に描かれた半径Ｌ１の円の外側の全表示領域が第１解除領域Ｒ１に設定される。第１解除領域Ｒ１により、第１解除オブジェクト１０１の全周が囲まれている。
【００５６】
図３（ｃ）は、第２解除領域Ｒ２について説明するための図である。説明の便宜上、図３（ｃ）には、第２解除領域Ｒ２が斜線で示されているが、実際のロック解除画面には、第２解除領域Ｒ２が表示されない。
【００５７】
図３（ｃ）に示すように、表示面３において、第２解除オブジェクト１０２の初期表示位置の中心Ｐ２から仮想的に描かれた半径Ｌ２の円の外側の全表示領域が第２解除領域Ｒ２に設定される。第２解除領域Ｒ２により、第２解除オブジェクト１０２の全周が囲まれている。
【００５８】
解除制御部３１は、第１解除オブジェクト１０１または第２解除オブジェクト１０２に対してフリック操作がなされると、当該フリック操作の方向と速さに基づいて、第１解除オブジェクト１０１または第２解除オブジェクト１０２が移動されるべき移動先の位置を決定する。記憶部１２には、フリック操作の速さ（速さに相当する値、たとえば、第２時間内にタッチ位置が移動する距離）と第１解除オブジェクト１０１または第２解除オブジェクト１０２の移動距離との関係を示す対応テーブルが記憶されている。解除制御部３１は、対応テーブルを参照してフリック操作の速さに対応する移動距離を求め、求めた移動距離とフリック操作の方向とから移動先の位置を決定する。なお、対応テーブルに替えて、フリック操作の速さから第１解除オブジェクト１０１または第２解除オブジェクト１０２の移動距離を算出するための演算式が記憶部１２に記憶されてもよい。
【００５９】
解除制御部３１は、移動先の位置が第１解除領域Ｒ１内となるフリック操作が第１解除オブジェクト１０１に対して行われると、ロック状態を解除して、ホーム画面を、その表示方向が携帯電話機１の上側から下側に向かう方向となるように表示面３に表示する。一方、解除制御部３１は、移動先の位置が第２解除領域Ｒ２内となるフリック操作が第２解除オブジェクト１０２に対して行われると、ロック状態を解除して、ホーム画面を、その表示方向が携帯電話機１の下側から上側に向かう方向となるように表示面３に表示する。
【００６０】
さらに、解除制御部３１は、リリース位置が第１解除領域Ｒ１内となるスライド操作が第１解除オブジェクト１０１に対して行われると、ロック状態を解除して、ホーム画面を、その表示方向が携帯電話機１の上側から下側に向かう方向となるように表示面３に表示する。一方、解除制御部３１は、リリース位置が第２解除領域Ｒ２内となるスライド操作が第２解除オブジェクト１０２に対して行われると、ロック状態を解除して、ホーム画面を、その表示方向が携帯電話機１の下側から上側に向かう方向となるように表示面３に表示する。
【００６１】
図４は、ホーム画面の一例を示す図である。ホーム画面は、各種のアプリケーション対応するアイコン１０３を含む。ユーザにより、何れかアイコン１０３に対してタップ操作がなされると、そのアイコン１０３に対応するアプリケーションが起動する。
【００６２】
さらに、ホーム画面は、操作キー群１０４を含む。操作キー群１０４は、設定キー１０４ａ、ホームキー１０４ｂ、およびバックキー１０４ｃから構成されている。設定キー１０４ａは、主に、各種設定を行う設定画面を表示面３に表示させるためのキーである。ホームキー１０４ｂは、主に、表示面３の表示を他の画面からホーム画面に移行させるためのキーである。バックキー１０４ｃは、主に、実行された処理を１ステップ前の処理に戻すためのキーである。
【００６３】
さらに、ホーム画面は、ロック解除画面と同様、上端にピクト領域ＰＣを含む。
【００６４】
以下、本実施の形態に係るロック解除処理について、詳細に説明する。
【００６５】
図５は、ロック解除処理の処理手順を示すフローチャートである。図６（ａ）は、ユーザが、携帯電話機１を正しい向きに保持し、ロック解除操作を行ったときの画面遷移を示す図である。図６（ｂ）は、ユーザが、携帯電話機１を上下逆さまに保持し、ロック解除操作を行ったときの画面遷移を示す図である。
【００６６】
処理が開始されると、解除制御部３１は、図３（ａ）に示すロック解除画面を表示面３に表示する（Ｓ１０１）。次に、解除制御部３１は、第１解除オブジェクト１０１に対してフリック操作がなされたか否か、およびスライド操作がなされたか否かを判定する（Ｓ１０２、Ｓ１０３）。また、解除制御部３１は、第２解除オブジェクト１０２に対してフリック操作がなされたか否か、およびスライド操作がなされたか否かを判定する（Ｓ１０４、Ｓ１０５）。
【００６７】
図６（ａ）に示すように、ユーザは、携帯電話機１を正しい向きに保持した状態で、ロック解除を行う場合、錠前の表示が正しい向きに描かれた第１解除オブジェクト１０１に対して任意の方向、たとえば、下方向にフリック操作あるいはスライド操作を行う（図６（ａ）の左図参照）。なお、携帯電話機１の「正しい向き」とは、ユーザが携帯電話機１を鉛直方向に立てるように保持した場合は、携帯電話機１の下側が地面側となる向きであり、ユーザが携帯電話機１を水平方向に寝かせるように保持した場合、携帯電話機１の下側がユーザ側となる向きである。
【００６８】
解除制御部３１は、第１解除オブジェクト１０１に対してフリック操作がなされたと判定すると（Ｓ１０２：ＹＥＳ）、上述の通り、対応テーブルを参照し、フリックの速さから第１解除オブジェクト１０１（オブジェクトの中心）の移動距離を求める。さらに、解除制御部３１は、求めた移動距離とフリック操作の方向とに基づいて、第１解除オブジェクト１０１の移動先の位置を決定する（Ｓ１０６）。なお、フリック操作の方向は、フリック操作における最初のタッチ位置とリリース位置とにより求められる。解除制御部３１は、ロック解除画面上において、第１解除オブジェクト１０１を移動先の位置へ移動させる（Ｓ１０７）。
【００６９】
解除制御部３１は、第１解除オブジェクト１０１に対してスライド操作がなされたと判定すると（Ｓ１０３：ＹＥＳ）、ロック解除画面上において、タッチ位置の移動に追従して第１解除オブジェクト１０１を移動させる（Ｓ１０８）。解除制御部３１は、第１解除オブジェクト１０１、即ち、表示面３から指がリリースされたか否かを判定する（Ｓ１０９）。解除制御部３１は、指がリリースされたと判定すると（Ｓ１０９：ＹＥＳ）、リリース位置を取得する（Ｓ１１０）。
【００７０】
解除制御部３１は、第１解除オブジェクト１０１がフリック操作された場合の移動先の位置、あるいは第１解除オブジェクト１０１がスライド操作された場合のリリース位置が第１解除領域Ｒ１内であるか否かを判定する（Ｓ１１１）。
【００７１】
ユーザにより、第１解除オブジェクト１０１に対し十分な速さでフリック操作が行われた場合、および第１解除オブジェクト１０１に対し十分に長い距離のスライド操作が行われた場合、第１解除オブジェクト１０１が第１解除領域Ｒ１内に移動する。この場合、解除制御部３１は、第１解除オブジェクト１０１の移動先の位置あるいはリリース位置が第１解除領域Ｒ１内であると判定し（Ｓ１１１：ＹＥＳ）、ロック解除画面を閉じ、図６（
ａ）の右図に示すように、ホーム画面を、その表示方向が携帯電話機１の上側から下側に向かう方向となるように前記表示面３に表示する（Ｓ１１２）。こうして、ロック解除処理が終了する。
【００７２】
第１解除オブジェクト１０１に対するフリック操作やスライド操作が十分でない場合は、第１解除オブジェクト１０１の移動先の位置が第１解除領域Ｒ１に到達しない。あるいは、第１解除領域Ｒ１に到達する前に第１解除オブジェクト１０１がリリースされる。この場合、解除制御部３１は、移動先の位置あるいはリリース位置が第１解除領域Ｒ１内でないと判定し（Ｓ１１１：ＮＯ）、第１解除オブジェクト１０１を初期表示位置に戻す（Ｓ１１３）。
【００７３】
一方、図６（ｂ）に示すように、ユーザは、携帯電話機１を上下逆さまに保持した状態で、ロック解除を行う場合、錠前の表示が正しい向きに描かれた第２解除オブジェクト１０２に対して任意の方向、たとえば、下方向にフリック操作あるいはスライド操作を行う（図６（ｂ）の左図参照）。
【００７４】
解除制御部３１は、第２解除オブジェクト１０２に対してフリック操作がなされたと判定すると（Ｓ１０４：ＹＥＳ）、第１解除オブジェクト１０１の場合と同様、第２解除オブジェクト１０２の移動先の位置を決定し（Ｓ１１４）、ロック解除画面上において、第２解除オブジェクト１０２を移動先の位置へ移動させる（Ｓ１１５）。
【００７５】
解除制御部３１は、第２解除オブジェクト１０２に対してスライド操作がなされたと判定すると（Ｓ１０５：ＹＥＳ）、第１解除オブジェクト１０１の場合と同様、ロック解除画面上において、タッチ位置の移動に追従して第２解除オブジェクト１０２を移動させ（Ｓ１１６）、表示面３から指がリリースされたと判定すると（Ｓ１１７：ＹＥＳ）、リリース位置を取得する（Ｓ１１８）。
【００７６】
解除制御部３１は、第２解除オブジェクト１０２の移動先の位置あるいはリリース位置が第２解除領域Ｒ２内であるか否かを判定する（Ｓ１１９）。解除制御部３１は、第２解除オブジェクト１０２の移動先の位置あるいはリリース位置が第２解除領域Ｒ２内であると判定すると（Ｓ１１９：ＹＥＳ）、ロック解除画面を閉じ、図６（ｂ）の右図に示すように、ホーム画面を、その表示方向が携帯電話機１の下側から上側に向かう方向となるように前記表示面３に表示する（Ｓ１２０）。こうして、ロック解除処理が終了する。
【００７７】
なお、第１解除オブジェクト１０１の場合と同様、解除制御部３１は、移動先の位置あるいはリリース位置が第２解除領域Ｒ２内でないと判定すると（Ｓ１１９：ＮＯ）、第２解除オブジェクト１０２を初期表示位置に戻す（Ｓ１２１）。
【００７８】
以上、本実施の形態によれば、ユーザはロック状態を解除する操作を行うことで、余分な操作を行うことなく、ロック状態解除後に表示される画面（たとえば、ホーム画面）を、ユーザが保持した携帯電話機１の向きに応じた適正な表示方向で表示面３に表示させることができる。
【００７９】
したがって、本実施の形態によれば、ユーザにとって使い勝手の良い携帯電話機１を実現できる。
【００８０】
さらに、上記実施の形態によれば、ロック状態解除後の画面の表示方向にそれぞれ対応する第１解除オブジェクト１０１および第２解除オブジェクト１０２をロック解除画面に表示するよう構成されている。よって、ロック状態を解除するための解除オブジェクト（第１解除オブジェクト１０１、第２解除オブジェクト１０２）を何れの方向へ移動させて
もロック状態を解除することができる。
【００８１】
さらに、上記実施の形態によれば、第１解除オブジェクト１０１および第２解除オブジェクト１０２は、ロック状態解除後の画面の表示方向を示す表示を含むような構成とされている。よって、ユーザは、所望する画面の表示方向に対応する解除オブジェクトを容易に選択できる。
【００８２】
＜変更例１＞
図７（ａ）は、変更例１に係る、ロック解除画面の一例を示す図である。
【００８３】
解除制御部３１は、図３（ａ）に示すロック解除画面に替えて、図７（ａ）に示すロック解除画面を表示面３に表示する。図７（ａ）に示すように、ロック解除画面は、第３解除オブジェクト１１０を含む。即ち、本変更例では、ロック解除画面に１つの解除オブジェクトが表示される。第３解除オブジェクト１１０は、ロック解除画面の略中央位置に表示されている。この位置が、第３解除オブジェクト１１０の初期表示位置である。第３解除オブジェクト１１０は、キャビネット２（携帯電話機１）の上側から下側に向かう方向に描かれた錠前の表示を含む。
【００８４】
本変更例では、第３解除オブジェクト１１０が、錠前の表示を有する円形のボタンに形成されている。しかしながら、第３解除オブジェクト１１０は、円形のボタンでなく、錠前そのものの形状に形成されてもよい。
【００８５】
解除制御部３１は、ロック解除画面において、第３解除オブジェクト１１０に対応する第３解除領域Ｒ３を設定する。
【００８６】
図７（ｂ）は、第３解除領域Ｒ３について説明するための図である。説明の便宜上、図７（ｂ）には、第３解除領域Ｒ３（下領域Ｒ３ａ、上領域Ｒ３ｂ）が斜線で示されているが、実際のロック解除画面には、第３解除領域Ｒ３が表示されない。
【００８７】
図７（ｂ）に示すように、表示面３において、第３解除オブジェクト１１０の初期表示位置の中心Ｐ３から仮想的に描かれた半径Ｌ３の円の外側の全表示領域が第３解除領域Ｒ３に設定される。第３解除領域Ｒ３により、第３解除オブジェクト１１０の全周が囲まれている。第３解除領域Ｒ３は、第３解除オブジェクト１１０の初期表示位置の中心Ｐ３より下側の下領域Ｒ３ａと中心Ｐ３より上側の上領域Ｒ３ｂにより構成されている。
【００８８】
解除制御部３１は、移動先の位置（リリース位置）が下領域Ｒ３ａ内となるフリック操作（スライド操作）が第３解除オブジェクト１１０に対して行われると、ロック状態を解除して、ホーム画面を、その表示方向が携帯電話機１の上側から下側に向かう方向となるように表示面３に表示する。一方、解除制御部３１は、移動先の位置（リリース位置）が上領域Ｒ３ｂ内となるフリック操作（スライド操作）が第３解除オブジェクト１１０に対して行われると、ロック状態を解除して、ホーム画面を、その表示方向が携帯電話機１の下側から上側に向かう方向となるように表示面３に表示する。
【００８９】
以下、本変更例に係るロック解除処理について、詳細に説明する。
【００９０】
図８は、本変更例に係る、ロック解除処理の処理手順を示すフローチャートである。図９（ａ）は、ユーザが、携帯電話機１を正しい向きに保持し、ロック解除操作を行ったときの画面遷移を示す図である。図９（ｂ）は、ユーザが、携帯電話機１を上下逆さまに保持し、ロック解除操作を行ったときの画面遷移を示す図である。
【００９１】
処理が開始されると、解除制御部３１は、図７（ａ）に示すロック解除画面を表示面３に表示する（Ｓ２０１）。次に、解除制御部３１は、第３解除オブジェクト１１０に対してフリック操作がなされたか否か、およびスライド操作がなされたか否かを判定する（Ｓ２０２、Ｓ２０３）。
【００９２】
解除制御部３１は、第１解除オブジェクト１０１に対してフリック操作がなされたと判定すると（Ｓ２０２：ＹＥＳ）、上記実施の形態と同様な手法により、第３解除オブジェクト１１０の移動先の位置を決定する（Ｓ２０４）。解除制御部３１は、ロック解除画面上において、第３解除オブジェクト１１０を移動先の位置へ移動させる（Ｓ２０５）。
【００９３】
解除制御部３１は、第３解除オブジェクト１１０に対してスライド操作がなされたと判定すると（Ｓ２０３：ＹＥＳ）、ロック解除画面上において、タッチ位置の移動に追従して第３解除オブジェクト１１０を移動させ（Ｓ２０６）、表示面３から指がリリースされたと判定すると（Ｓ２０７：ＹＥＳ）、リリース位置を取得する（Ｓ２０８）。
【００９４】
解除制御部３１は、第３解除オブジェクト１１０の移動先の位置あるいはリリース位置が第３解除領域Ｒ３内であるか否かを判定する（Ｓ２０９）。解除制御部３１は、移動先の位置あるいはリリース位置が第３解除領域Ｒ３内であると判定すると（Ｓ２０９：ＹＥＳ）、移動先の位置あるいはリリース位置が下領域Ｒ３ａ内であるか、上領域Ｒ３ｂ内であるかを判定する（Ｓ２１０）。
【００９５】
図９（ａ）に示すように、ユーザは、携帯電話機１を正しい向きに保持した状態で、ロック解除を行う場合、ロック状態解除後のホーム画面の表示方向と同じ方向となるよう、携帯電話機１の下側に向けて、即ち、下領域Ｒ３ａに向けて、第３解除オブジェクト１１０に対するフリック操作あるいはスライド操作を行う（図９（ａ）の左図参照）。
【００９６】
解除制御部３１は、第３解除オブジェクト１１０の移動先の位置あるいはリリース位置が下領域Ｒ３ａ内であると判定すると（Ｓ２１０：下領域）、ロック解除画面を閉じ、図９（ａ）の右図に示すように、ホーム画面を、その表示方向が携帯電話機１の上側から下側に向かう方向となるように前記表示面３に表示する（Ｓ２１１）。こうして、ロック解除処理が終了する。
【００９７】
一方、図９（ｂ）に示すように、ユーザは、携帯電話機１を上下逆さまに保持した状態で、ロック解除を行う場合、ロック状態解除後のホーム画面の表示方向と同じ方向となるよう、携帯電話機１の上側に向けて、即ち、上領域Ｒ３ｂに向けて、第３解除オブジェクト１１０に対するフリック操作あるいはスライド操作を行う（図９（ｂ）の左図参照）。
【００９８】
解除制御部３１は、第３解除オブジェクト１１０の移動先の位置あるいはリリース位置が上領域Ｒ３ｂ内であると判定すると（Ｓ２１０：上領域）、ロック解除画面を閉じ、図９（ｂ）の右図に示すように、ホーム画面を、その表示方向が携帯電話機１の下側から上側に向かう方向となるように前記表示面３に表示する（Ｓ２１２）。こうして、ロック解除処理が終了する。
【００９９】
なお、ステップ２０９において、解除制御部３１は、第３解除オブジェクト１１０の移動先の位置あるいはリリース位置が第３解除領域Ｒ３内にないと判定すると（Ｓ２０９：ＮＯ）、第３解除オブジェクト１１０を初期表示位置に戻す（Ｓ２１３）。
【０１００】
以上、本変更例の構成によれば、上記本実施の形態と同様、ユーザにとって使い勝手の良い携帯電話機１を実現できる
＜変更例２＞
図１０は、変更例２に係る、携帯電話機１の構成を示す図である。図１０（ａ）は、携帯電話機１の正面図である。図１０（ｂ）は、制御部１１の構成を示す図である。
【０１０１】
図１０（ａ）に示すように、本変更例では、キャビネット２の下端部および上端部に、それぞれ、下マイクロフォン５１および上マイクロフォン５２が配されている。下マイクロフォン５１および上マイクロフォン５２の構成は、上記実施の形態のマイクロフォン４と同様である。下マイクロフォン５１および上マイクロフォン５２には、それぞれ、下マイク孔５１ａおよび上マイク孔５２ａを通じて音声が入力される。
【０１０２】
また、本変更例では、キャビネット２の下端部および上端部に、それぞれ、下通話スピーカ５３および上通話スピーカ５４が配されている。下通話スピーカ５３および上通話スピーカ５４の構成は、上記実施の形態の通話スピーカ５と同様である。下通話スピーカ５３および上通話スピーカ５４から出力された音声は、それぞれ、下出力孔５３ａおよび上出力孔５４ａを通じて外部に放出される。
【０１０３】
図１０（ｂ）に示すように、制御部１１は、解除制御部３１に加えて、設定切替部３２を備えている。設定切替部３２は、制御部１１によって実行されるプログラムの機能として実現される。
【０１０４】
設定切替部３２は、下マイクロフォン５１および上通話スピーカ５４をそれぞれ、作動されるマイクロフォンおよびスピーカに設定するか、上マイクロフォン５２および下通話スピーカ５３をそれぞれ、作動されるマイクロフォンおよびスピーカに設定するかを切り替える設定切替処理を実行する。
【０１０５】
図１１は、本変更例に係る、設定切替処理の処理手順を示すフローチャートである。以下、図１１を参照して、設定切替処理について説明する。
【０１０６】
ロック解除処理によりロック状態が解除されると設定切替処理が実行される。設定切替部３２は、ロック状態解除後のホーム画面が、その表示方向が携帯電話機１の上側から下側に向かう方向となるように表示面３に表示されたか否かを判定する（Ｓ３０１）。
【０１０７】
設定切替部３２は、ホーム画面が携帯電話機１の上側から下側に向かう表示方向となるように表示面３に表示される場合には（Ｓ３０１：ＹＥＳ）、下マイクロフォン５１を、作動されるマイクロフォンに設定し（Ｓ３０２）、上通話スピーカ５４を、作動されるスピーカに設定する（Ｓ３０３）。これにより、通話の際には、下マイクロフォン５１および上通話スピーカ５４が作動し、ユーザの発話音声が下マイクロフォン５１に入力され、通信相手の携帯電話機からの受話音声が上通話スピーカ５４から出力される。また、ユーザが留守番電話の録音メッセージを聴く際には、上通話スピーカ５４が作動し、録音メッセージが上通話スピーカ５４から出力される。
【０１０８】
一方、設定切替部３２は、ホーム画面が携帯電話機１の下側から上側に向かう表示方向となるように表示面３に表示される場合には（Ｓ３０２：ＮＯ）、上マイクロフォン５２を、作動されるマイクロフォンに設定し（Ｓ３０４）、下通話スピーカ５３を、作動されるスピーカに設定する（Ｓ３０５）。これにより、通話の際には、上マイクロフォン５２および下通話スピーカ５３が作動し、ユーザの発話音声が上マイクロフォン５２に入力され、通信相手の携帯電話機からの受話音声が下通話スピーカ５３から出力される。また、ユーザが留守番電話の録音メッセージを聴く際には、下通話スピーカ５３が作動し、録音メッセージが下通話スピーカ５３から出力される。
【０１０９】
このような構成とすれば、ユーザは、携帯電話機１を上下逆さまに保持し、それに応じ
た表示方向でホーム画面を表示させた場合、携帯電話機１を持ち替えることなく、上下逆さまのまま通話や録音メッセージの確認を行うことができる。
【０１１０】
＜変更例３＞
図１２は、変更例３に係る、携帯電話機１の構成を示す図である。なお、本変更例の説明において、上記実施の形態の携帯電話機１と同様の構成については説明を省略する。図１２（ａ）は、携帯電話機１の正面図である。図１２（ｂ）は、通話スピーカ６０の構成を示す、キャビネット２の部分断面図である。なお、図１２（ｂ）では、上マイクロフォン７２および上マイク孔７２ａの図示が省略されている。
【０１１１】
上記実施の形態の通話スピーカ５は、いわゆる気導方式のスピーカであり、音声に対応する音波が出力される。本変更例では、通話スピーカ５に替えて、図１２（ｂ）に示すように圧電振動素子６１により構成される通話スピーカ６０が、キャビネット２の上部に配されている。
【０１１２】
圧電振動素子６１は、バイモルフ構造を有し、シム材６１ａと、シム材６１ａの両側に装着された第１圧電セラミック板６１ｂおよび第２圧電セラミック板６１ｃとを備える。
【０１１３】
圧電セラミック板６１ｂ、６１ｃには、それぞれ、正の電圧および負の電圧からなり、互いに逆の位相となる交流電圧が印加される。交流電圧の印加により、第１圧電セラミック板６１ｂが伸び第２圧電セラミック板６１ｃが縮む動作と、第１圧電セラミック板６１ｂが縮み第２圧電セラミック板６１ｃが伸びる動作とが繰り返され、圧電振動素子６１が振動する。
【０１１４】
圧電振動素子６１は、キャビネット２における正面２ａの内面に接着剤６２によって装着されている。
【０１１５】
圧電振動素子６１は、音声に対応する電気信号に基づいて振動する。圧電振動素子６１が振動すると音声に対応する振動がキャビネット２の正面２ａに伝達され、正面２ａが振動する。
【０１１６】
キャビネット２の正面２ａの上部に耳が近づけられるあるいは耳が接触すると、キャビネット２の振動により発生する音波が外耳道孔から外耳道内に進入する。進入した音波は外耳道を進み鼓膜を振動させる。これにより、ユーザの脳において音声が認識される。さらに、ユーザの耳がキャビネット２の正面２ａに接触すると、キャビネット２の振動により耳介軟骨が振動し、耳介軟骨の振動が鼓膜に伝わって鼓膜が振動する。これにより、ユーザの脳において音声が認識される。
【０１１７】
通話スピーカ６０が動作すると、キャビネット２の正面２ａ全体が振動する。このため、ユーザは、携帯電話機１を上下逆さまに保持し、キャビネット２の下部に耳を接触させた場合でも、通話スピーカ６０から出力された音、たとえば、録音メッセージを聞き取ることができる。
【０１１８】
通話スピーカ６０、即ち、圧電振動素子６１は、上記のように、表示面３の上方のフレーム部の裏面に装着されるのではなく、表示部１３の裏面に装着されても良い。
【０１１９】
また、本変更例では、変更例２と同様、キャビネット２の下端部および上端部に、それぞれ、下マイクロフォン７１および上マイクロフォン７２が配されている。下マイクロフォン７１および上マイクロフォン７２には、それぞれ、下マイク孔７１ａおよび上マイク孔７２ａを通じて音声が入力される。
【０１２０】
さらに、本変更例では、変更例２と同様、制御部１１は、設定切替部３２を含む。本変更例の設定切替部３２は、下マイクロフォン７１を、作動されるマイクロフォンに設定するか、上マイクロフォン７２を、作動されるマイクロフォンに設定するかを切り替える設定切替処理を実行する。
【０１２１】
図１３は、本変更例に係る、設定切替処理の処理手順を示すフローチャートである。設定切替部３２は、ホーム画面が携帯電話機１の上側から下側に向かう表示方向となるように表示面３に表示される場合には（Ｓ４０１：ＹＥＳ）、下マイクロフォン５１を、作動されるマイクロフォンに設定する（Ｓ４０２）。これにより、通話の際には、下マイクロフォン７１が作動し、ユーザの発話音声が下マイクロフォン７１に入力される。
【０１２２】
一方、設定切替部３２は、ホーム画面が携帯電話機１の下側から上側に向かう表示方向となるように表示面３に表示される場合には（Ｓ４０１：ＮＯ）、上マイクロフォン５２を、作動されるマイクロフォンに設定する（Ｓ４０３）。これにより、通話の際には、上マイクロフォン７２が作動し、ユーザの発話音声が上マイクロフォン７２に入力される。
【０１２３】
このような構成とすれば、通話の際、ユーザは、携帯電話機１を上下逆さまに保持していても、通話スピーカ６０からの受話音声を聞き取ることができ、上マイクロフォン７２に発話音声を入力することができる。よって、ユーザは、携帯電話機１を上下逆さまに保持したまま通話を行うことができる。
【０１２４】
＜その他＞
以上、本発明の実施の形態および変更例について説明したが、本発明は、上記実施の形態等によって何ら制限されるものではなく、また、本発明の実施の形態も、上記以外に種々の変更が可能である。
【０１２５】
たとえば、上記実施の形態では、第１解除オブジェクト１０１または第２解除オブジェクト１０２を、それぞれの周囲に設定された第１解除領域Ｒ１または第２解除領域Ｒ２へフリック操作またはスライド操作を行うことによりロック状態が解除される。しかしながら、このような構成に限らず、たとえば、ロック解除画面が、図１４（ａ）および（ｂ）に示すような構成とされてもよい。
【０１２６】
図１４（ａ）のロック解除画面では、解除領域となる錠前の形状を有する錠前形オブジェクト１２１を挟んで上下に解除オブジェクトである鍵の形状を有する第１鍵形オブジェクト１２２および第２鍵形オブジェクト１２３が配される。矢印Ａに示すように、第１鍵形オブジェクト１２２を錠前形オブジェクト１２１へ移動させるフリック操作またはスライド操作がなされると、解除制御部３１は、図６（ａ）の右図に示すように、ホーム画面を、その表示方向が携帯電話機１の上側から下側に向かう方向となるように表示面３に表示する。一方、矢印Ｂに示すように、第２鍵形オブジェクト１２３を錠前形オブジェクト１２１へ移動させるフリック操作またスライド操作がなされると、解除制御部３１は、図６（ｂ）の右図に示すように、ホーム画面を、その表示方向が携帯電話機１の下側から上側に向かう方向となるように表示面３に表示する。
【０１２７】
図１４（ｂ）のロック解除画面では、解除オブジェクトである鍵の形状を有する鍵形オブジェクト１３１を挟んで上下に解除領域となる錠前の形状をした第１錠前形オブジェクト１３２および第２錠前形オブジェクト１３３が配される。矢印Ａに示すように、鍵形オブジェクト１３１を第１錠前形オブジェクト１３２へ移動させるフリック操作またスライド操作がなされると、解除制御部３１は、図６（ａ）の右図に示すように、ホーム画面を、その表示方向が携帯電話機１の上側から下側に向かう方向となるように表示面３に表示
する。一方、矢印Ｂに示すように、鍵形オブジェクト１３１を第２錠前形オブジェクト１３３へ移動させるフリック操作またスライド操作がなされると、解除制御部３１は、図６（ｂ）の右図に示すように、ホーム画面を、その表示方向が携帯電話機１の下側から上側に向かう方向となるように表示面３に表示する。
【０１２８】
さらに、上記実施の形態では、ロック解除画面に、第１解除オブジェクト１０１と第２解除オブジェクト１０２が表示される。しかしながら、これに限らず、図１５（ａ）に示すように、第１解除オブジェクト１０１および第２解除オブジェクト１０２に加えて、第４解除オブジェクト１４１および第５解除オブジェクト１４２がロック解除画面に表示されてもよい。この場合、第４解除オブジェクト１４１の周囲に第４解除領域（図示せず）が設定され、第５解除オブジェクト１４２の周囲に第５解除領域（図示せず）が設定される。第４解除オブジェクト１４１を第４解除領域へ移動させるフリック操作またはスライド操作がなされると、解除制御部３１は、ホーム画面を、その表示方向が携帯電話機１の右側から左側へ向かう方向となるように表示面３に表示する。第５解除オブジェクト１４２を第５解除領域へ移動させるフリック操作またはスライド操作がなされると、解除制御部３１は、ホーム画面を、その表示方向が携帯電話機１の左側から右側へ向かう方向となるように表示面３に表示する。
【０１２９】
さらに、上記変更例１では、表示面３（ロック解除画面）に下領域Ｒ３ａと上領域Ｒ３ｂにより構成された第３解除領域Ｒ３が設定される。しかしながら、これに限らず、図１５（ｂ）に示すように、下領域Ｒ６ａ、上領域Ｒ６ｂ、右領域Ｒ６ｃおよび左領域Ｒ６ｄにより構成された第６解除領域Ｒ６が表示面３に設定されてもよい。この場合、第３解除オブジェクト１１０を左領域Ｒ６ｄへ移動させるフリック操作またはスライド操作がなされると、解除制御部３１は、ホーム画面を、その表示方向が携帯電話機１の右側から左側へ向かう方向となるように表示面３に表示する。第３解除オブジェクト１１０を右領域Ｒ６ｃへ移動させるフリック操作またはスライド操作がなされると、解除制御部３１は、ホーム画面を、その表示方向が携帯電話機１の左側から右側へ向かう方向となるように表示面３に表示する。
【０１３０】
さらに、上記実施の形態では、第１解除オブジェクト１０１および第２解除オブジェクト１０２に錠前の表示が含まれる。しかしながら、錠前とは異なる表示が第１解除オブジェクト１０１および第２解除オブジェクト１０２に含まれてもよい。
【０１３１】
さらに、上記実施の形態では、ロック状態が解除されると、ホーム画面が表示されるが、ホーム画面以外の画面、たとえば、ロック機能が作動する以前に表示面３に表示されていた画面が表示されてもよい。
【０１３２】
さらに、上記変更例３の携帯電話機１では、通話スピーカ５に替えて通話スピーカ６０が備えられ、マイクロフォン４に替えて下マイクロフォン７１および上マイクロフォン７２が備えられている。しかしながら、携帯電話機１は、マイクロフォン４が備えられたまま、通話スピーカ５に替えて通話スピーカ６０が備えられるような構成とされてもよい。このような構成とすれば、ユーザは、携帯電話機１を上下逆さまに保持したまま、録音メッセージの音等、通話スピーカ６０から出力される音を聴くことができる。
【０１３３】
本発明は、携帯電話機に限られず、ＰＤＡ（Personal DigitalAssistant）、タブレットＰＣ（Tablet PC）、電子書籍端末等の各種の携帯端末装置に適用可能である。
【０１３４】
この他、本発明の実施形態は、特許請求の範囲に示された技術的思想の範囲内において、適宜、種々の変更が可能である。
【符号の説明】
【０１３５】
３  表示面
１１  制御部
１３  表示部
１４  タッチ検出部（操作受付部）
３１  解除制御部
３２  設定切替部
５１  下マイクロフォン（第２マイクロフォン）
５２  上マイクロフォン（第１マイクロフォン）
５３  下通話スピーカ（第２スピーカ）
５４  上通話スピーカ（第１スピーカ）
１０１  第１解除オブジェクト
１０２  第２解除オブジェクト
１１０  第３解除オブジェクト（解除オブジェクト）
６０  通話スピーカ（スピーカ）
７１  下マイクロフォン（第２マイクロフォン）
７２  上マイクロフォン（第１マイクロフォン）
【図１】
2014099764.tif 000003
【図２】
2014099764.tif 000004
【図３】
2014099764.tif 000005
【図４】
2014099764.tif 000006
【図５】
2014099764.tif 000007
【図６】
2014099764.tif 000008
【図７】
2014099764.tif 000009
【図８】
2014099764.tif 000010
【図９】
2014099764.tif 000011
【図１０】
2014099764.tif 000012
【図１１】
2014099764.tif 000013
【図１２】
2014099764.tif 000014
【図１３】
2014099764.tif 000015
【図１４】
2014099764.tif 000016
【図１５】
2014099764.tif 000017